(57)【要約】【課題】複雑な処理を行うことなく巨大画像を高速かつ高精細に表示させる。【解決手段】巨大な資料１を撮影したオリジナル画像を分割した画像（Ｓ４、分割画像）を配列表示させる大画像閲覧ファイルと、分割された各画像を所定の縮小率で縮小（Ｓ５）した画像である第１縮小画像及び第２縮小画像をそれぞれ表示させる中画像閲覧ファイル及び小画像閲覧ファイルがＨＴＭＬファイルとして分割画像、第１縮小画像及び第２縮小画像の圧縮画像とともに記録媒体６に記録される（Ｓ８）。【選択図】  図３
2005228250.tif 000002
【特許請求の範囲】
【請求項１】
１つの原画像を所定の単位ごとに縦横に分割した分割画像を作成する分割ステップと、
前記分割画像の各々を圧縮する第１圧縮ステップと、
を含む閲覧画像提供方法。
【請求項２】
前記分割画像のいずれか１つを表示させる制御情報をマークアップ言語で記述した第１ファイルを前記分割画像ごとに作成する第１ファイル作成ステップをさらに含む請求項１に記載の閲覧画像提供方法。
【請求項３】
前記第１ファイルと前記圧縮された分割画像とを出力する第１出力ステップをさらに含む請求項２に記載の閲覧画像提供方法。
【請求項４】
前記分割画像の各々を所定の縮小率で縮小した画像である縮小分割画像を作成する縮小ステップをさらに含む請求項３に記載の閲覧画像提供方法。
【請求項５】
前記分割画像から前記原画像を再構成するための配列を規定する配列番号を前記分割画像に付与する第１付与ステップをさらに含む請求項４に記載の閲覧画像提供方法。
【請求項６】
前記縮小の前の分割画像に付与された配列番号と同一の配列番号を前記縮小の後の縮小分割画像に付与する第２付与ステップをさらに含む請求項５に記載の閲覧画像提供方法。
【請求項７】
前記縮小分割画像の少なくとも１つを表示させる制御情報をマークアップ言語で記述した第２ファイルを作成する第２ファイル作成ステップをさらに含む請求項６に記載の閲覧画像提供方法。
【請求項８】
前記縮小分割画像を圧縮する第２圧縮ステップと、
前記第２ファイルと前記圧縮された縮小分割画像とを出力する第２出力ステップをさらに含む請求項７に記載の閲覧画像提供方法。
【請求項９】
前記第１ファイル作成ステップは、前記第１ファイルが表示させる分割画像に付与された配列番号と同一の配列番号が付与された縮小分割画像を表示させる第２ファイルへの関連づけを規定するリンク情報を前記第１ファイルにさらに記述する請求項７又は８に記載の閲覧画像提供方法。
【請求項１０】
前記第２ファイル作成ステップは、前記第２ファイルが表示させる縮小分割画像に付与された配列番号と同一の配列番号が付与された分割画像を表示させる第１ファイルへの関連づけを規定するリンク情報を前記第２ファイルにさらに記述する請求項７〜９のいずれか１項に記載の閲覧画像提供方法。
【請求項１１】
前記第１ファイル作成ステップは、前記縦横に関して互いに接する分割画像同士をそれぞれ表示させる第１ファイル同士の関連づけを規定するリンク情報を前記第１ファイルにさらに記述する請求項２〜１０のいずれか１項に記載の閲覧画像提供方法。
【請求項１２】
前記第２ファイル作成ステップは、前記縦横に関して互いに接する縮小分割画像同士をそれぞれ表示させる第２ファイル同士の関連づけを規定するリンク情報を前記第２ファイルにさらに記述する請求項７〜１０のいずれか１項に記載の閲覧画像提供方法。
【請求項１３】
前記マークアップ言語はＨＴＭＬ（HyperText Markup Language）である請求項２又は７に記載の閲覧画像提供方法。
【請求項１４】
前記リンク情報はハイパーテキストで記述されている９〜１２のいずれか１項に記載の閲覧画像提供方法。
【請求項１５】
１つの原画像を所定の単位ごとに縦横に分割した分割画像を作成する分割ステップと、
前記分割画像の各々を圧縮する第１圧縮ステップと、
前記分割画像のいずれか１つを表示させる制御情報をマークアップ言語で記述した第１  ファイルを前記分割画像ごとに作成する第１ファイル作成ステップと、
前記分割画像の各々を所定の縮小率で縮小した画像である縮小分割画像を作成する縮小ステップと、
前記縮小分割画像の少なくとも１つを表示させる制御情報をマークアップ言語で記述した第２ファイルを作成する第２ファイル作成ステップと、
をコンピュータに実行させる閲覧画像提供プログラム。
【発明の詳細な説明】
【技術分野】
【０００１】
本発明は巨大な画像の閲覧に関する。
【背景技術】
【０００２】
従来、画像を高速に表示あるいは送信するための様々な技術が開発されている。例えば、特許文献１によると、一枚の画像から解像度を１ランクずつ上げるデータが複数の階層の各々に含まれるように符号化される。必要な解像度に応じた階層のデータを複合化することで、画像の表示が解像度の低いものから解像度の高いものへ順次置き換わり、次第に画像がくっきりとしていくような見せ方を行なうことができる。また、特許文献２によると、ＢＴＣ圧縮された画像データを読み出し、２つの画素の復号化後の２つの画素値を代表成分値として算出し、算出された代表成分値で構成される画像データに対して補完処理を行ない表示用の画像データを求め、これを表示する。こうすることで元の画像サイズの１／２のサイズの画像データを高速に表示させることができる。また、特許文献３によると、基準画像データのｎ×ｎの範囲の画素値の総和をｎ×ｎで割り算した値即ち平均値を変倍画像データの画素値として変倍画像データを生成する。そして、指示入力された表示変倍率に応じて表示画像データを生成するために変倍画像データに対して変倍処理を行なう。例えば、表示変倍率１／１０、１／２０の表示には、各々変倍率１／５の変倍画像データが用いられ、それらの変倍画像データに対する変倍処理は変倍率１／２、１／４である。
【特許文献１】特開平５−２０７２９４号公報
【特許文献２】特開２０００−７８５１４号公報
【特許文献３】特開２０００−３３２９９６号公報
【発明の開示】
【発明が解決しようとする課題】
【０００３】
ところで、地図のように全体が表示範囲内に納まり切らないような巨大な画像を高速表示させる場合を考えると、特許文献１に記載の技術では巨大な画像を階層画像符号化装置で符号化するため各階層の画像の品質が劣化するという欠点がある。また、特許文献２に記載の技術では巨大な画像をＢＴＣ圧縮するため画像の品質が劣化するという欠点がある。さらに、特許文献３に記載の技術では、選択された変倍率に対応する表示画像データを変倍画像データから生成する必要があり煩雑である。このような問題点に鑑み、本発明は複雑な処理を行うことなく巨大画像を高速かつ高精細に表示させることを目的とする。
【課題を解決するための手段】
【０００４】
請求項１に係る発明は、１つの原画像を所定の単位ごとに縦横に分割した分割画像を作成する分割ステップと、前記分割画像の各々を圧縮する第１圧縮ステップと、を含む閲覧画像提供方法。
【０００５】
請求項２に係る発明は、前記分割画像のいずれか１つを表示させる制御情報をマークアップ言語で記述した第１ファイルを前記分割画像ごとに作成する第１ファイル作成ステップをさらに含む請求項１に記載の閲覧画像提供方法。
【０００６】
請求項３に係る発明は、前記第１ファイルと前記圧縮された分割画像とを出力する第１出力ステップをさらに含む請求項２に記載の閲覧画像提供方法。
【０００７】
請求項４に係る発明は、前記分割画像の各々を所定の縮小率で縮小した画像である縮小分割画像を作成する縮小ステップをさらに含む請求項３に記載の閲覧画像提供方法。
【０００８】
請求項５に係る発明は、前記分割画像から前記原画像を再構成するための配列を規定する配列番号を前記分割画像に付与する第１付与ステップをさらに含む請求項４に記載の閲覧画像提供方法。
【０００９】
請求項６に係る発明は、前記縮小の前の分割画像に付与された配列番号と同一の配列番号を前記縮小の後の縮小分割画像に付与する第２付与ステップをさらに含む請求項５に記載の閲覧画像提供方法。
【００１０】
請求項７に係る発明は、前記縮小分割画像の少なくとも１つを表示させる制御情報をマークアップ言語で記述した第２ファイルを作成する第２ファイル作成ステップをさらに含む請求項６に記載の閲覧画像提供方法。
【００１１】
請求項８に係る発明は、前記縮小分割画像を圧縮する第２圧縮ステップと、前記第２ファイルと前記圧縮された縮小分割画像とを出力する第２出力ステップをさらに含む請求項７に記載の閲覧画像提供方法。
【００１２】
請求項９に係る発明は、前記第１ファイル作成ステップは、前記第１ファイルが表示させる分割画像に付与された配列番号と同一の配列番号が付与された縮小分割画像を表示させる第２ファイルへの関連づけを規定するリンク情報を前記第１ファイルにさらに記述する請求項７又は８に記載の閲覧画像提供方法。
【００１３】
請求項１０に係る発明は、前記第２ファイル作成ステップは、前記第２ファイルが表示させる縮小分割画像に付与された配列番号と同一の配列番号が付与された分割画像を表示させる第１ファイルへの関連づけを規定するリンク情報を前記第２ファイルにさらに記述する請求項７〜９のいずれか１項に記載の閲覧画像提供方法。
【００１４】
請求項１１に係る発明は、前記第１ファイル作成ステップは、前記縦横に関して互いに接する分割画像同士をそれぞれ表示させる第１ファイル同士の関連づけを規定するリンク情報を前記第１ファイルにさらに記述する請求項２〜１０のいずれか１項に記載の閲覧画像提供方法。
【００１５】
請求項１２に係る発明は、前記第２ファイル作成ステップは、前記縦横に関して互いに接する縮小分割画像同士をそれぞれ表示させる第２ファイル同士の関連づけを規定するリンク情報を前記第２ファイルにさらに記述する請求項７〜１０のいずれか１項に記載の閲覧画像提供方法。
【００１６】
請求項１３に係る発明は、前記マークアップ言語はＨＴＭＬ（HyperText Markup Language）である請求項２又は７に記載の閲覧画像提供方法。
【００１７】
請求項１４に係る発明は、前記リンク情報はハイパーテキストで記述されている９〜１２のいずれか１項に記載の閲覧画像提供方法。
【００１８】
請求項１５に係る発明は、１つの原画像を所定の単位ごとに縦横に分割した分割画像を作成する分割ステップと、前記分割画像の各々を圧縮する第１圧縮ステップと、前記分割画像のいずれか１つを表示させる制御情報をマークアップ言語で記述した第１ファイルを前記分割画像ごとに作成する第１ファイル作成ステップと、前記分割画像の各々を所定の縮小率で縮小した画像である縮小分割画像を作成する縮小ステップと、前記縮小分割画像の少なくとも１つを表示させる制御情報をマークアップ言語で記述した第２ファイルを作成する第２ファイル作成ステップと、をコンピュータに実行させる閲覧画像提供プログラム。
【発明の効果】
【００１９】
上記発明は、分割した画像を圧縮するため、従来のように重複して画像を圧縮する必要がない。このため、画質の劣化を軽減できる。また、巨大画像は分割されているため、この分割画像を順次ネットワークを介して受信側のパソコンなどに送出し、受信側のパソコンは受信した分割画像から順次表示すれば、一度に巨大画像を送って表示する場合よりも高速に表示できる。ここで、分割した画像を表示させる制御情報をＨＴＭＬなどのマークアップ言語で記述したファイルを作成してもよく、この場合Ｗｅｂブラウザだけで巨大な画像の一部を詳細に閲覧できる。さらに、分割画像の縮小画像を表示させる制御情報をＨＴＭＬなどのマークアップ言語で記述したファイルを作成してもよく、この場合Ｗｅｂブラウザだけで巨大な画像の縮小画像を閲覧できる。これらのファイルは相互にリンクさせてもよく、こうすることで巨大画像を縮小、拡大表示できる。同様に、隣接する分割画像同士を相互にリンクさせる情報をＨＴＭＬなどのマークアップ言語で記述したファイルを作成してもよく、こうすることである分割画像の表示を隣の分割画像の表示に切り替えることができる。
【発明を実施するための最良の形態】
【００２０】
以下、添付した図面を参照し本発明の好ましい実施例を説明する。
【実施例１】
【００２１】
（１）概略構成
図１は、本発明の好ましい実施例に係る閲覧データ作成システムの概略構成を示すブロック図である。このシステムは、古地図や絵巻物などの巨大な資料１をフィルム３に撮影するカメラ２、フィルム３を現像して得られた撮像をスキャンして原画像（オリジナル画像）のデータを得る高精細スキャナ４、スキャナ４の画像データを取り込むパソコン５、パソコン５から出力される各種データを記録するＣＤ−Ｒなどの記録媒体６を備える。このシステムは、画像を予め指定された倍率に縮小しておき、モニタに表示されたＷｅｂブラウザで各倍率の画像を閲覧できるようなＨＴＭＬファイル（以下閲覧データという）を作成する。
【００２２】
（２）閲覧データ作成処理の流れ
以下、図２を参照し閲覧データを作成する処理の流れを説明する。
【００２３】
Ｓ１では、カメラ２により資料１をフィルム３に撮影する。フィルム３としては、閲覧データで表示させる画像の解像度に応じ、例えば４×５フィルムや３５ｍｍカラーマイクロフィルムを用いる。なお、４×５フィルムの方が３５ｍｍカラーマイクロフィルムよりも画像面積が広いため、４×５フィルムを用いて撮影した方が高画質となる。ここで、資料１の撮像が１枚のフィルム３に収まり切らない場合、資料１の各部を分割して撮影する。分割する領域は任意であり、例えば図３（ａ）に示すように４分割して撮影すればよい。Ｓ２では、フィルム３を現像して得られた画像をスキャナ４で取り込む。なお、このスキャンの際モニタに表示させる画像の解像度が決まる。例えば、１ｍ×５０ｃｍの資料１を、１５０ＤＰＩ、３００ＤＰＩ、６００ＤＰＩでスキャンし、これらを９６ＤＰＩのモニタに表示させると、それぞれ倍率約１．５倍、約２倍、約４倍の画像として表示される。即ち、モニタに最大約４倍の画像を表示できる。Ｓ３では、Ｓ１で資料１の各部を分割して撮影した場合、各部の撮像をスキャンした画像を１つの画像（オリジナル画像）に合成する（図３（ｂ）参照）。合成して得られるオリジナル画像のデータ量は、以下のステップＳ４〜Ｓ８をパソコン５で処理できるデータ量の範囲内にする必要があり、例えば３００００ピクセル以下とする必要がある。なお、近年のパソコン５の高速処理化、高性能化により、パソコン５で扱える画像のデータ量は拡大化する傾向にあり、従来のように非可逆性圧縮の１つであるＪＰＥＧ圧縮などをオリジナル画像に施してパソコン５で扱えるデータ量にまで圧縮する必要は乏しくなっており、非可逆性圧縮によりオリジナル画像の画質を劣化させてしまうという懸念が生じる可能性は小さい。Ｓ１で１枚のフィルム３に資料１の全体が収まった場合はこのステップＳ３は行わなくてもよい。
【００２４】
Ｓ４では、Ｓ２及びＳ３で得られた１つの画像を所定の分割サイズ毎に分割する。分割サイズは、例えばＸＧＡ（１０２４×７６８ピクセル）サイズとする。この分割サイズは、パソコン５から任意に入力・設定できるようにしてもよい。そして、パソコン５が画像の四隅を自動検出した後、設定された分割サイズに従ってこの画像を分割するようにしてもよい。Ｓ５では、Ｓ４で分割された画像（分割画像）を所定の縮小率で縮小した画像（縮小画像）を作成する。この縮小率は、パソコン５から任意に入力・設定でき、パソコン５が設定された縮小率に従って画像を縮小するようにしてもよい。例えば縮小率を１／２、１／４とした場合、分割画像を縮小率１／２で縮小した画像である第１縮小画像（図３（ｄ）参照）及び分割画像を縮小率１／４で縮小した画像である第２縮小画像（図３（ｅ）参照）が得られる。なお、縮小画像の作成の際に画質が劣化しないようにすることが好ましく、例えばＳ３でオリジナル画像を可逆性圧縮方式の１つであるＴＩＦＦ（Tagged Image File Format）ファイルで作成しておき、Ｓ５でも同様に各縮小画像をＴＩＦＦファイルで作成することが好ましい。
【００２５】
Ｓ６では、分割画像及び縮小画像を所定の方式（例えばＪＰＥＧ：Joint Photographic Coding Experts Group）で圧縮する。例えば縮小率を１／２、１／４とした場合、各分割画像を圧縮した画像Ｌ１〜Ｌ３０（図３（ｆ）参照）、第１縮小画像を圧縮した画像Ｍ１〜Ｍ３０（図３（ｇ）参照）及び第２縮小画像を圧縮した画像Ｓ１〜Ｓ３０（図３（ｈ）参照）が得られる。画像Ｌ１〜Ｌ３０、Ｍ１〜Ｍ３０、Ｓ１〜Ｓ３０は、これらの画像を配列してオリジナル画像と同一の被写体画像構成とできるように連番が付与されており、この連番はテレビの走査線と同様図３（ｆ）〜（ｈ）に示すように左上から右下へ向かって番号が１つずつ増加する。この連番は、例えば画像Ｌ１〜Ｌ３０、Ｍ１〜Ｍ３０、Ｓ１〜Ｓ３０のファイル名として記憶させることでパソコン５から自動付与できる。
【００２６】
Ｓ７では、上記画像Ｌ１〜Ｌ３０、Ｍ１〜Ｍ３０、Ｓ１〜Ｓ３０をＷｅｂブラウザに表示させる制御情報をＨＴＭＬ（HyperText Markup Language）で記述するファイルを作成する。このＨＴＭＬファイルには、縮小画像を拡大させる旨の指示に応じて分割画像を表示させ、あるいは分割画像を縮小する旨の指示に応じて縮小画像を表示させる機能（拡大縮小機能）及び移動方向の指示に応じてＷｅｂブラウザの表示範囲内に収まらない分割画像及び縮小画像を表示させる機能（移動表示機能）をさらに持たせる。
【００２７】
拡大縮小機能は、例えば次のように実現される。まず、圧縮された画像Ｓ１〜Ｓ３０を伸長した上、オリジナル画像と同構成の画像となるようこれらを連番に従って全て配列することで得られる画像の集合を表示させる制御情報を記述するＨＴＭＬファイル（小画像閲覧ファイル、図４参照）と、圧縮された画像Ｍ１〜Ｍ３０を伸長した上、オリジナル画像の一部と同構成の画像となるよう連番に従ってこれらを９枚単位で配列した画像の集合Ｕｎ（１≦ｎ≦４、７≦ｎ≦１０、１３≦ｎ≦１６、図５参照）を表示させる制御情報を記述するＨＴＭＬファイル（中画像閲覧ファイル）と、圧縮された画像Ｌ１〜Ｌ３０を伸長した上、いずれかを１枚だけ表示させる制御情報を記述するＨＴＭＬファイル（大画像閲覧ファイル、図８参照）を作成する。即ち、図３のような分割画像、第１縮小画像及び第２縮小画像が得られた場合、小画像閲覧ファイル、中画像閲覧ファイル、大画像閲覧ファイルは、それぞれ１ファイル、１２ファイル、３０ファイル作成されることになる。ただし、小画像閲覧ファイル、中画像閲覧ファイル、大画像閲覧ファイルが表示する画像の数は上記に限る必要はなく、例えば画像Ｕｎは画像Ｍ１〜Ｍ３０を４枚単位で配列した画像でもよい。以下、画像Ｕｎを表示させる中画像閲覧ファイルをＢｎで表し、画像Ｌｎを表示させる大画像閲覧ファイルをＣｎで表す。
【００２８】
小画像閲覧ファイルで表示される画像Ｓ１〜Ｓ３０の各々には、その画像と同じ連番を有する画像Ｍ１〜Ｍ３０を含んだ画像Ｕｎを表示させる中画像閲覧ファイルへのハイパーリンクが埋め込まれている。例えば、画像Ｓ７をクリックすると（図４参照）、クリックされた画像Ｓ７と同じ連番を有する画像Ｍ７を含むＵ７がＷｅｂブラウザの可視領域内に表示される（図６参照）。即ち、画像Ｓ１〜Ｓ３０をクリックすることでその拡大画像Ｍ１〜Ｍ３０を閲覧できる。同様に、中画像閲覧ファイルで表示される画像Ｍ１〜Ｍ３０の各々には、その画像と同じ連番を有する画像Ｌ１〜Ｌ３０を表示させる大画像閲覧ファイルへのハイパーリンクが埋め込まれている。即ち、画像Ｍ１〜Ｍ３０をクリックすることでその拡大画像Ｌ１〜Ｌ３０を閲覧できる。例えば、画像Ｍ７をクリックすると（図６参照）、クリックされた中画像閲覧ファイルの画像と同じ連番を有する画像Ｌ７がＷｅｂブラウザの可視領域内に表示される（図８参照）。さらに、大画像閲覧ファイルで表示される画像Ｌ１〜Ｌ３０の各々には、同じ連番を有する画像Ｍ１〜Ｍ３０を含んだ画像Ｕｎを表示させる中画像閲覧ファイルへのハイパーリンクが埋め込まれている。例えば、画像Ｌ７をクリックすると（図８参照）、クリックされた中画像閲覧ファイルの画像と同じ連番を有する画像Ｍ７がＷｅｂブラウザの可視領域内に表示される（図６参照）。即ち、画像のクリックに応じて第１縮小画像、第２縮小画像、分割画像が表示されることとなり、各画像の拡大・縮小をクリックで指定できる。ここで、第１縮小画像、第２縮小画像をＷｅｂブラウザで表示する際には、ＵＲＬなどで指定される所定の位置に格納された各構成単位Ｍ１〜Ｍ３０、Ｓ１〜Ｓ３０を順次読み込み、読み込まれた画像から順次表示させればよく、画像全体のデータを一度に読み込む場合よりも高速に表示できる。
【００２９】
一方、移動表示機能は次のように実現される。図６に示すように、中画像閲覧ファイルＢｎのそれぞれに、画像を移動表示させたい方向を示すアイコンにそれぞれハイパーリンクＨ１〜Ｈ８を埋め込んでおく。Ｈ１〜Ｈ８はそれぞれ中画像閲覧ファイルＢｎ−７、Ｂｎ−６、Ｂｎ−５、Ｂｎ−１１、Ｂｎ＋１、Ｂｎ＋５、Ｂｎ＋６、Ｂｎ＋７へジャンプするハイパーリンクとなっている。即ち、ハイパーリンクＨ１〜Ｈ８がクリックされると、図７に示すように、現在Ｗｅｂブラウザの可視領域Ｒ内に表示されている画像ＵｎとクリックされたハイパーリンクＨ１〜Ｈ８の方向に画像Ｍｎ１個分移動した画像Ｕｎ−７、Ｕｎ−６、Ｕｎ−５、Ｕｎ−１、Ｕｎ＋１、Ｕｎ＋５、Ｕｎ＋６、Ｕｎ＋７のいずれかの少なくとも一部を可視領域Ｒ内に表示させる。ここで、少なくとも一部とは、画像Ｕｎ全体のサイズがＷｅｂブラウザの最大表示サイズ内であれば必ずしも画像Ｕｎ全体が可視領域Ｒ内に収まらなくても良いことを意味しており、この場合はＷｅｂブラウザのウィンドウの大きさを調整したりスクロールバーを適宜操作するなどしてＵｎの所望の部分を表示させれば足りる。なお、第１縮小画像の端に当たる部分Ｍ１〜Ｍ６、Ｍ７、Ｍ１２、Ｍ１３、Ｍ１８、Ｍ１９、Ｍ２４、Ｍ２５〜Ｍ３０を含む画像Ｕｎが可視領域Ｒ内に表示されている場合、移動表示が不可能な方向のハイパーリンクＨ１〜Ｈ８を表示させないようにしてもよい。例えば、画像Ｕ１が可視領域Ｒ内に表示されている場合、ハイパーリンクＨ１、Ｈ２、Ｈ４、Ｈ６は表示させないようにしてもよい。同様に、図８に示すように、大画像閲覧ファイルＣｎに、画像Ｌｎと上下左右斜めの計８方向に接する画像Ｌｎ−７、Ｌｎ−６、Ｌｎ−５、Ｌｎ−１、Ｌｎ＋１、Ｌｎ＋５、Ｌｎ＋６、Ｌｎ＋７を表示させる大画像閲覧ファイルＣｎ−７、Ｃｎ−６、Ｃｎ−５、Ｃｎ−１、Ｃｎ＋１、Ｃｎ＋５、Ｃｎ＋６、Ｃｎ＋７へそれぞれジャンプするハイパーリンクＨ１’〜Ｈ８’を埋め込んでおいてもよい。
【００３０】
Ｓ８では、小画像閲覧ファイル、中画像閲覧ファイル、大画像閲覧ファイル及び圧縮した画像Ｌ１〜Ｌ３０、Ｍ１〜Ｍ３０、Ｓ１〜Ｓ３０を記録媒体６に記録する。なお、これらのＨＴＭＬファイルが記述する画像の配列やハイパーリンクは画像に規則的に付与された連番に依存するから、これらのＨＴＭＬファイルのソースをこの連番に従ってパソコン５で自動的に記述することも可能である。
【００３１】
（３）本実施例に係る閲覧データ作成システムの特徴
上述のように、巨大な資料１を撮影したオリジナル画像を分割した画像（Ｓ４、分割画像）を配列表示させる大画像閲覧ファイルと、分割された各画像を所定の縮小率で縮小（Ｓ５）した画像である第１縮小画像及び第２縮小画像をそれぞれ表示させる中画像閲覧ファイル及び小画像閲覧ファイルがＨＴＭＬファイルとして分割画像、第１縮小画像及び第２縮小画像の圧縮画像とともに記録媒体６に記録される（Ｓ８）。Ｗｅｂブラウザを有する各種パソコンでこれらのＨＴＭＬファイルを読み込めば、分割画像、第１縮小画像及び第２縮小画像を閲覧することができ、どのようなパソコン端末でも巨大な資料の詳細な拡大画像と全体の縮小画像を別途のプラグインを用いることなくＷｅｂブラウザだけで閲覧できる。そして、第１縮小画像及び第２縮小画像は、それぞれＭ１〜Ｍ３０、Ｓ１〜Ｓ３０で構成されるため高速に表示できる。さらに、オリジナル画像に施す画像圧縮は１度だけであり（Ｓ６）、従来のように画像の分割前後で圧縮しないため、画像の劣化を抑えることができる。
【実施例２】
【００３２】
実施例１の大画像閲覧ファイル、中画像閲覧ファイル及び小画像閲覧ファイル並びに圧縮した画像Ｌ１〜Ｌ３０、Ｍ１〜Ｍ３０、Ｓ１〜Ｓ３０は、記録媒体６に出力して記録する代わりにネットワークに接続されたＷｅｂサーバのハードディスクなどに記憶させておいてもよい。この場合も、以下のようにしてＷｅｂブラウザに画像を表示できる。Ｗｅｂブラウザを有するパソコンから所定のＵＲＬにアクセスがあった場合、このＷｅｂサーバは分割画像、第１縮小画像、第２縮小画像のいずれかを選択させるホームページを送出し、その選択に応じて大画像閲覧ファイル、中画像閲覧ファイル又は小画像閲覧ファイルを送信する。Ｗｅｂブラウザがこれらのファイルを受信して画像表示の制御情報の記述を解析すると、表示させる画像Ｌ１〜Ｌ３０、Ｍ１〜Ｍ３０、Ｓ１〜Ｓ３０の送信をＷｅｂサーバに要求する。Ｗｅｂサーバはこの要求に応じて各画像を送信する。さらに、Ｗｅｂサーバは大画像閲覧ファイル、中画像閲覧ファイル又は小画像閲覧ファイルの定義するハイパーリンクＨ１〜Ｈ８、Ｈ１’〜Ｈ８ ’や画像Ｌ１〜Ｌ３０、Ｍ１〜Ｍ３０、Ｓ１〜Ｓ３０に埋め込まれたクリッカブルマップがクリックされたことに応じて可視領域Ｒに表示する画像Ｌ１〜Ｌ３０、Ｍ１〜Ｍ３０、Ｓ１〜Ｓ３０を送出する。この場合、Ｗｅｂサーバから送信される画像は実施例１と同じく分割されているから、実施例１と同様受信側のＷｅｂブラウザは高速に分割画像、第１縮小画像、第２縮小画像を表示できる。
【実施例３】
【００３３】
実施例１のステップＳ３では分割された撮像を１つの画像に合成していたが、パソコン５の性能上この１つの合成画像を扱えない場合は、分割された撮像を合成せずそのままステップＳ４で分割してもよい。
【図面の簡単な説明】
【００３４】
【図１】実施例１に係る閲覧データ作成システムの機能構成図
【図２】閲覧データ作成処理の流れを示すフローチャート
【図３】閲覧データ作成処理により作成される画像の一例
【図４】小画像閲覧ファイルが表示させる画像の例
【図５】中画像閲覧ファイルが表示させる画像Ｕｎの構成例
【図６】中画像閲覧ファイルが表示させる画像の例
【図７】中画像閲覧ファイルに埋め込まれるハイパーリンクの方向と画像表示の移動の関係
【図８】大画像閲覧ファイルが表示させる画像の例
【符号の説明】
【００３５】
２・・カメラ、３・・フィルム、４・・スキャナ、５・・パソコン
【図１】
2005228250.tif 000003
【図２】
2005228250.tif 000004
【図３】
2005228250.tif 000005
【図４】
2005228250.tif 000006
【図５】
2005228250.tif 000007
【図６】
2005228250.tif 000008
【図７】
2005228250.tif 000009
【図８】
2005228250.tif 000010